(57)【要約】      （修正有）【課題】ユーザが簡単にタッチパネルの適宜の箇所をタッチでき、かつ、吸着力が高く、はがれにくいタッチパネル用吸盤型スイッチを提供する。【解決手段】導電性ゴムや導電性樹脂等の、弾性を有する導電性部材からなり、上部にユーザの指の接触操作を受け付ける操作部２０と、底部にスマートフォンやタブレットＰＣ等の静電容量式のタッチパネル上に吸着する固定部２４とを有し、固定部２４は、湾曲凹部を備え、操作部２０と固定部２４は一体成形された構成とする。【選択図】図１
0003195752.tif 000002
【実用新案登録請求の範囲】
【請求項１】
弾性を有する導電性部材からなり、
上部に操作部と、
底部に固定部とを有し、
当該固定部は、湾曲凹部を備え、
前記操作部と前記固定部は一体成形されたことを特徴とする、タッチパネル用吸盤型スイッチ。
【請求項２】
弾性を有する本体と、当該本体を貫通する導電性の芯材とからなり、
前記本体は、底部に湾曲凹部型の固定部を有し、
前記芯材の一端は前記本体から突出し、
前記芯材の他端は前記固定部の湾曲凹部内に突出し、
前記本体と前記芯材は一体成形されたことを特徴とする、タッチパネル用吸盤型スイッチ。
【請求項３】
前記吸盤型スイッチをタッチパネルに吸着させた際に、前記芯材がタッチパネルに接触することを特徴とする、請求項２に記載のタッチパネル用吸盤型スイッチ。
【請求項４】
前記吸盤型スイッチをタッチパネルに吸着させた際に、前記芯材がタッチパネルに接触しないことを特徴とする、請求項２に記載のタッチパネル用吸盤型スイッチ。
【考案の詳細な説明】
【技術分野】
【０００１】
本考案は、静電容量式のタッチパネルに吸着させて用いる吸盤型スイッチに関する。
【背景技術】
【０００２】
近年、静電容量式のタッチパネルを備えたスマートフォン（＝Smart phone）やタブレットＰＣ（＝Personal Computer）が普及している。なお、タッチパネルとは、指先や専用のペン等で画面に触れることで入力を行う装置であり、表示装置(ディスプレイ)と入力装置が一体化したものである。
【０００３】
静電容量式のタッチパネルでは、ユーザがタッチパネルの表面を指で触れると発生する微弱な電流、つまり静電容量（電荷）の変化をセンサーで感知し、タッチした位置を把握する。
【０００４】
静電容量式のタッチパネルには「表面型」と「投影型」の２種類があり、それぞれ内部構造が異なる。「表面型」の内部は、ガラス基板の上に透明電極膜（導電層）を敷き、表面に保護カバーを重ねた構造となっている。ガラス基板の４隅にある電極に電圧をかけてパネル全体に均一な低圧の電界を発生させ、ユーザの指がタッチパネルの表面に触れた際の静電容量の変化をパネル４隅で測定し、指の座標を特定する。一方、「投影型」の内部は、演算処理ＩＣ（＝集積回路）を搭載した基板層の上に、特定のパターンで大量に並べた透明電極の層を配置し、表面にはガラスやプラスチックなどのカバー（絶縁体）を重ねた構造となっている。ユーザがタッチパネルの表面に指を近づけると複数の電極間の静電容量が同時に変化するが、この電流量の比率を測定することで、位置を特定することができる。「投影型」は電極の数が多く、正確に２点以上の多点検出（マルチタッチ）を行うことができる。
【０００５】
スマートフォンやタブレットＰＣの普及と共に、スマートフォンやタブレットＰＣに、ゲーム用プログラムをダウンロード、ストリーミング等して、スマートフォンやタブレットＰＣで、ゲームに興じる者が増加している。
【０００６】
ゲームの場合、ユーザはタッチパネル上の的確な箇所（タッチパネル上に表示されたアイコン等）を的確なタイミングでタッチする必要がある。しかし、タッチパネル上は平らであって、突起があるわけではない。そのため、ユーザにとって的確な箇所を的確なタイミングでタッチするのは難しく、タッチし損ねたり、誤って間違った箇所をタッチしてしまう場合がある。
【０００７】
このような静電容量式のタッチパネルへのタッチを補助するため、特許文献１では、図６に示すように、タッチパネル上に導電性のボタン等の操作部を配置する構成が開示されている。詳しくは、ボタン部１１１、接触部１１２及び弾性支持部１１３は、導電性ゴム等の導電性部材で一体的に形成される。ユーザが操作部１１０の外方側端部を弾性支持部１１３の弾性力に反して押下していくと、操作部１１０の内方側端部が静電容量式タッチパネル２０１に接触する。これにより、静電容量式タッチパネル２０１が静電容量の変化を検知し、当該位置に表示されたアイコンが選択操作されることとなる。
【先行技術文献】
【特許文献】
【０００８】
【特許文献１】特開２０１１−１９９７８３号公報
【０００９】
しかし、特許文献１では、タッチパネルを備えた電子機器を密閉状態でケース内部に収容するものであり、このケースに導電性のボタン等の操作部を備える構成であるため、タッチパネル上の操作部の位置を動かすことができない。一方、タッチパネル上に表示されるタッチ箇所（タッチパネル上に表示されたアイコン等）は、ゲーム毎に異なる。
【００１０】
また、インターネットでは、図７〜１０に示すように、ゲーム用にスマートフォンのタッチパネル上に導電性のゴム等の部材を貼り付ける構成が開示されている。以下、詳しく説明する。
【００１１】
図７及び図８に示すジョイスティック（商標名）１は、底部にスマートフォンのタッチパネル５に吸着する吸盤２と、タッチパネル５と接触する導電性のスポンジ３が設けられている。ジョイスティック１の本体部分４はアルミ製である。ユーザがジョイスティック１をいずれかの方向に傾けることによって、スポンジ３が、タッチパネル５と接触し、「タッチパネル５→スポンジ３→本体部分４→ユーザの指」の順に微小電流が流れる。
【００１２】
図９に示すジョイスティック６は、導電性の部材で作成されており、底面に吸盤部７が設けられており、ユーザがジョイスティック６をいずれかの方向に傾けることによって、ジョイスティック６が、タッチパネル５と接触し、「タッチパネル５→ジョイスティック６→ユーザの指」の順に微小電流が流れる。
【００１３】
図１０に示すボタンパーツ８は、本体９が導電性の部材で作成されており、ボタンパーツ８の底部に吸盤１０が設けられている。ユーザは、ボタンパーツ８を押圧することによって、ボタンパーツ８の本体９が、タッチパネル５と接触し、「タッチパネル５→本体９→ユーザの指」の順に微小電流が流れる。
【考案の概要】
【考案が解決しようとする課題】
【００１４】
しかしながら、ジョイスティック１及び６は、ユーザがジョイスティック１又は６を傾けて、タッチパネル５に接触させる構成である。従って、タッチパネル５上に表示されたタッチ箇所をタッチするためには、当該タッチ箇所の真上ではなく、タッチ箇所の側方のいずれかの箇所に、ジョイスティック１又は６を吸着させる必要があり、手間がかかる。
【００１５】
また、ボタンパーツ８は、本体９と吸盤１０の別々の部品が組み合わされたものであり、タッチパネル５上にボタンパーツ８を吸着させた際に、吸盤１０内に空気が入りやすく、吸着力も弱くはがれやすい。
【００１６】
そこで本考案は、上記問題点に対処するため、ユーザが簡単にタッチパネルの適宜の箇所をタッチでき、かつ、吸着力が高く、はがれにくい吸盤型スイッチを提供することを目的とする。
【課題を解決するための手段】
【００１７】
前記目的を達成するため、請求項１の考案は、弾性を有する導電性部材からなり、上部に操作部と、底部に固定部とを有し、当該固定部は、湾曲凹部を備え、前記操作部と前記固定部は一体成形されたタッチパネル用吸盤型スイッチとした。
【００１８】
また、請求項２の考案は、弾性を有する本体と、当該本体を貫通する導電性の芯材とからなり、前記本体は、底部に湾曲凹部型の固定部を有し、前記芯材の一端は前記本体から突出し、前記芯材の他端は前記固定部の湾曲凹部内に突出し、前記本体と前記芯材は一体成形されたタッチパネル用吸盤型スイッチとした。
【００１９】
また、請求項３の考案は、前記吸盤型スイッチをタッチパネルに吸着させた際に、前記芯材がタッチパネルに接触する、請求項２に記載のタッチパネル用吸盤型スイッチとした。
【００２０】
また、請求項４の考案は、前記吸盤型スイッチをタッチパネルに吸着させた際に、前記芯材がタッチパネルに接触しない、請求項２に記載のタッチパネル用吸盤型スイッチとした。
【考案の効果】
【００２１】
請求項１〜４の考案は、吸盤型スイッチの全体が導電性を有しているため、あるいは、芯材が導電性であるため、ユーザは吸盤型スイッチに触れるだけで、あるいは、吸盤型スイッチを押圧するだけで、簡単かつ的確にタッチパネルの適宜の箇所をタッチすることができる。
【００２２】
また特に、請求項１の考案は、全体が一体成形されているため、タッチパネル上に吸盤型スイッチを吸着させた際に、湾曲凹部型の固定部の内部に外部から空気が入りにくく、タッチパネル上からはがれにくい。
【００２３】
また特に、請求項３の考案は、本体と芯材とからなる全体が一体成形されているため、本体と芯材との一体性が高く、本体と芯材との間に隙間はない。そのため、タッチパネル上に吸盤型スイッチを吸着させた際に、本体の湾曲凹部型の固定部の内部に外部から空気が入りにくく、タッチパネル上からはがれにくい。
【図面の簡単な説明】
【００２４】
【図１】本考案の実施例１の吸盤型スイッチの構成を示す断面図である。
【図２】本考案の実施例１の吸盤型スイッチをタッチパネル上に吸着させた状態を示す断面図である。
【図３】本考案の実施例２の吸盤型スイッチの構成を示す断面図である。
【図４】本考案の実施例２の吸盤型スイッチをタッチパネル上に吸着させた状態を示す断面図である。
【図５】本考案の他の実施例の吸盤型スイッチをタッチパネル上に吸着させた状態を示す断面図である。
【図６】第１の従来例に係る、タッチパネル上に導電性のボタン等の操作部を配置する構成を示す断面図である。
【図７】第２の従来例のジョイスティックの使用状態を示す斜視図である。
【図８】第２の従来例のジョイスティックの構成を示す側面図である。
【図９】第３の従来例のジョイスティックの構成を示す側面図である。
【図１０】第４の従来例のボタンパーツの構成を示す断面図である。
【考案を実施するための形態】
【００２５】
弾性を有する導電性部材からなり、上部に操作部と、底部に固定部とを有し、当該固定部は、湾曲凹部を備え、前記操作部と前記固定部は一体成形された構成であるため、吸盤型スイッチの全体が導電性を有し、ユーザは吸盤型スイッチに触れるだけで、簡単かつ的確にタッチパネルの適宜の箇所をタッチすることができる。
【実施例１】
【００２６】
以下、添付図面を参照して本考案に係る実施例を詳細に説明する。ただし、この実施例に記載されている構成要素はあくまでも例示であり、本考案の範囲をそれらのみに限定する趣旨のものではない。
【００２７】
＜タッチパネル用吸盤型スイッチＡの構成＞
図１に示すように、本考案に係るタッチパネル用吸盤型スイッチＡは、上部にユーザの指の接触操作を受け付ける操作部２０と、底部にスマートフォンやタブレットＰＣ等の静電容量式のタッチパネル２２上に（図２参照）吸着する固定部２４を有している。固定部２４は、タッチパネル２２上に吸着するために、皿を伏せたような形状の湾曲凹部を備えた吸盤である。
【００２８】
また、吸盤型スイッチＡは、例えば導電性ゴムや導電性樹脂等の弾性を有する導電性部材で一体成形される。従って、図２に示すように、タッチパネル２２上に吸盤型スイッチＡを吸着させ、ユーザの指が操作部２０に触れると、タッチパネル２２から吸盤型スイッチＡを通じてユーザの指に（微弱）電流が流れる。また、吸盤型スイッチＡは弾性を有するため、吸盤型スイッチＡをタッチパネル２２上に押圧させると、吸盤型スイッチＡの固定部２４が弾性変形し、タッチパネル２２上に吸着する。詳しくは、湾曲凹部を備えた固定部２４を押圧してくぼませることで固定部２４とタッチパネル２２との間の空気が抜けるが、固定部２４は弾性により元の形状に戻ろうとする。そのため固定部２４の内部は気圧の低い状態になり、外の大気圧との差が生じて固定部２４がタッチパネル２２上に張り付くこととなる。
【００２９】
このように吸盤型スイッチＡを構成することによって、ユーザはタッチパネル２２上の適宜の箇所に吸盤型スイッチＡを吸着させることができ、吸盤型スイッチＡの操作部２０に触れるだけで、タッチパネル２２上の吸盤型スイッチＡを張り付けた箇所をタッチしたことになる。従って、ユーザが指で直接当該箇所をタッチする場合に比べて、簡単かつ的確にタッチすることができる。また、吸盤型スイッチＡは一体成形されるため、タッチパネル２２上に吸盤型スイッチＡを吸着させた際に、固定部２４の内部に外部から空気が入りにくく、タッチパネル２２上からはがれにくい。
【実施例２】
【００３０】
＜タッチパネル用吸盤型スイッチＢの構成＞
図３に示すように、本考案に係るタッチパネル用吸盤型スイッチＢは、ゴムや樹脂等の弾性を有する本体３０と、本体３０を貫通する導電性の芯材３２とからなる。なお、芯材３２は、例えば導電性ゴムや導電性樹脂である。そして芯材３２の一端３４は本体３０の上部から突出し、芯材３２の他端３６は本体３０の固定部３８の湾曲凹部内（後述）に突出している。なお、図４に示すように、芯材３２の他端３６は、タッチパネル２２上に吸盤型スイッチＢを吸着させると、タッチパネル２２と接触する。従って、タッチパネル２２上に吸盤型スイッチＢを吸着させ、ユーザの指が本体３０の上部から突出した芯材３２のいずれかの箇所に触れると、タッチパネル２２から芯材３２を通じてユーザの指に（微弱）電流が流れる。
【００３１】
本体３０は、底部にタッチパネル２２上に（図４参照）吸着する固定部３８を有している。固定部３８は、タッチパネル２２上に吸着するために、皿を伏せたような形状の湾曲凹部を備えた吸盤である。そのため、本体３０が弾性を有することとあいまって、吸盤型スイッチＢをタッチパネル２２上に押圧させると、吸盤型スイッチＢの固定部３８が弾性変形し、タッチパネル２２上に吸着する。詳しくは、湾曲凹部を備えた固定部３８を押圧してくぼませることで固定部３８とタッチパネル２２との間の空気が抜けるが、固定部３８は弾性により元の形状に戻ろうとする。そのため固定部３８の内部は気圧の低い状態になり、外の大気圧との差が生じて固定部３８がタッチパネル２２上に張り付くことになる。
【００３２】
本体３０と芯材３２とは、一体に成形してタッチパネル用吸盤型スイッチＢとなる。具体的には例えば、溶融させたゴムや樹脂等の本体３０を、芯材３２を配置した金型（図示省略）に注入し、冷却、固化させることで、本体３０と芯材３２とを、一体に射出成形（＝インジェクション成形）する。
【００３３】
このように吸盤型スイッチＢを構成することによって、ユーザはタッチパネル２２上の適宜の箇所に吸盤型スイッチＢを吸着させることができ、本体３０の上部から突出した芯材３２のいずれかの箇所に触れるだけで、タッチパネル２２上の、芯材３２の他端３６が接触している箇所をタッチしたことになる。従って、ユーザが指で直接当該箇所をタッチする場合に比べて、簡単かつ的確にタッチすることができる。また、吸盤型スイッチＢの本体３０及び芯材３２は一体成形されるため、タッチパネル２２上に吸盤型スイッチＢを吸着させた際に、固定部３８の内部に外部から空気が入りにくく、タッチパネル２２上からはがれにくい。
【００３４】
＜変形例＞
本実施例２では、タッチパネル２２上に吸盤型スイッチＢを吸着させると、芯材３２の他端３６が、タッチパネル２２と接触する構成を示したが、この構成に限定されるものではない。例えば、図５に示すように、タッチパネル２２上に吸盤型スイッチＣを吸着させた場合、芯材４０の他端４２が、タッチパネル２２と接触しない構成としても良い。この場合には、ユーザが本体４４の上部から突出した芯材４０の一端４６を上から押圧すると、本体４４の弾性によって芯材４０の位置が下がり、タッチパネル２２と接触する。
【符号の説明】
【００３５】
Ａ  吸盤型スイッチ、Ｂ  吸盤型スイッチ、Ｃ  吸盤型スイッチ、
１  ジョイスティック、２  吸盤、３  スポンジ、４  本体部分、５  タッチパネル、６  ジョイスティック、７  吸盤部、８  ボタンパーツ、９  本体、１０  吸盤、
２０  操作部、２２  タッチパネル、２４  固定部、
３０  本体、３２  芯材、３４  一端、３６  他端、３８  固定部、
４０  芯材、４２  他端、４４  本体、４６  一端、
１１０  操作部、１１１  ボタン部、１１２  接触部、１１３  弾性支持部、
２０１  静電容量式タッチパネル２０１
【図１】
0003195752.tif 000003
【図２】
0003195752.tif 000004
【図３】
0003195752.tif 000005
【図４】
0003195752.tif 000006
【図５】
0003195752.tif 000007
【図６】
0003195752.tif 000008
【図７】
0003195752.tif 000009
【図８】
0003195752.tif 000010
【図９】
0003195752.tif 000011
【図１０】
0003195752.tif 000012